(57)【要約】      （修正有）【課題】収納する被保管物の重量に拘らず被保管物を収納した状態で移動させることができることにより使い勝手を向上させたラック台車を提供する。【解決手段】ラック台車１００は、被保管物を載置する載置台１０１を備えている。載置台１０１は、上側横断フレーム１０２に対して上下方向に摺動可能に組み付けられた下側横断フレーム１０４を介してキャスター１０５によって移動可能に支持され、上側横断フレーム１０２と下側横断フレーム１０４との間に設けられたスプリング体によって上下方向に変位する。さらに、載置台１０１は、下降した際に床面に接地する前方支柱１０８および後方支柱１０９を備え、載置台１０１の下面には、下側横断フレーム１０４に設けられた縦断フレーム１０６の受けプレート１０６ａに対向して載置台１０１の下降を規制するロック機構１０７が設けられている。【選択図】図１
0003164261.tif 000002
【実用新案登録請求の範囲】
【請求項１】
被保管物を載置する載置台と、
前記載置台に載置される前記被保管物の重さにより弾性変形するスプリング体を介して同載置台を床面上に対して移動可能に支持するキャスターと、
前記載置台に対して少なくとも３つ配置され、前記スプリング体の弾性変形による前記載置台の下降により前記床面に接地して前記載置台を支持する支柱と、
前記スプリング体の弾性変形による前記載置台の下降を阻止するロック機構とを備えることを特徴とするラック台車。
【請求項２】
請求項１に記載したラック台車において、
前記載置台は、前記被保管物が載置される載置面上における少なくとも三方が開放されていることを特徴とするラック台車。
【請求項３】
請求項１または請求項２に記載のラック台車において、
前記支柱は、
上端部が前記載置台における前記載置面より上方に位置する長さで上方に延びて形成されているとともに、同支柱における前記上端部および下端部が他の前記ラック台車における前記支柱の下端部および上端部に対して互いに嵌合可能に形成されていることを特徴とするラック台車。
【請求項４】
請求項３に記載したラック台車において、
前記３つのうちの少なくとも１つの支柱は、
前記上端部が前記載置台における前記載置面以下に位置する下側支柱と、
前記下側支柱の上端部に対して着脱自在に連結される上側支柱とで構成されることを特徴とするラック台車。
【請求項５】
請求項４に記載のラック台車において、
前記載置台は、前記下側支柱から分離した前記上側支柱を保持するための保持部を備えることを特徴とするラック台車。
【請求項６】
請求項３ないし請求項５のうちのいずれか１つに記載のラック台車において、
前記支柱は、
前記３つのうちの少なくとも２つの支柱間に架設された架設棒体を備えることを特徴とするラック台車。
【考案の詳細な説明】
【技術分野】
【０００１】
本考案は、倉庫や工場内において、被保管物を移動可能な状態で積載して保管できるラック台車に関する。
【背景技術】
【０００２】
従来から、倉庫や工場内などにおいては、部品や製品などを一時的に保管するためにラック（保管棚）が用いられている。一般に、倉庫や工場内などにおいて用いられるラックは、被保管物を収めた収納箱(例えば、段ボール箱や通函)を直接、又は同収納箱をパレットを介して収納されて保管する。この場合、被保管物を収めた収納箱や収納箱を載置したパレットは、人やフォークリフトなどによりラックまで運ばれ収納される。
【０００３】
このようにラック内に被保管物を収納する場合、前記したように被保管物をラックまで運んで収納しなければならない。この被保管物をラックまで運んで収納する荷役作業は極めて煩雑な作業であるため、例えば、下記特許文献１には、被保管物が載置される載置台の底部にバネ材を介してキャスターが設けられた車輪付き保管棚が提案されている。この車輪付き保管棚は、載置台上に載置される被保管物の重さによって載置台が下降して同載置台に設けられた支柱が床面に接地することによりキャスターによる移動が不能な状態となる。
【先行技術文献】
【特許文献】
【０００４】
【特許文献１】特開平０８−１１３２３９号公報
【０００５】
しかしながら、このような車輪付き保管棚においては、所定の重さ以上の重さ（例えば、６００ｋｇ以上）の被保管物を載置台に載置すると載置台が下降して同載置台に設けられた支柱が床面に接地するため、所定量以上の重さの被保管物を収納した状態で保管棚を移動させることができない。このため、載置台に被保管物を載置して移動させる場合においては、載置台に載置可能な被保管物の重量に制限があって使い勝手が悪いという問題があった。
【０００６】
本考案は上記問題に対処するためなされたもので、その目的は、収納する被保管物の重量に拘らず被保管物を収納した状態で移動させることができることにより使い勝手を向上させたラック台車を提供することにある。
【考案の概要】
【０００７】
上記目的を達成するため、請求項１に係る本考案の特徴は、被保管物を載置する載置台と、載置台に載置される被保管物の重さにより弾性変形するスプリング体を介して同載置台を床面上に対して移動可能に支持するキャスターと、載置台に対して少なくとも３つ配置され、スプリング体の弾性変形による載置台の下降により床面に接地して載置台を支持する支柱と、スプリング体の弾性変形による載置台の下降を阻止するロック機構とを備えたことにある。
【０００８】
このように構成した請求項１に係る本考案の特徴によれば、ラック台車は、被保管物を載置する載置台に被保管物の重さによって弾性変形するスプリング体を介して載置台を移動させるためのキャスターを備えるとともに、同スプリング体の弾性変形による載置台の下降を阻止するロック機構を備えて構成されている。この場合、ロック機構は、例えば、載置台をキャスターに直接支持させるための部材を載置台とキャスターとの間に配置および退避させることができるリンク機構で構成することができる。このため、ラック台車を使用する使用者は、被保管物を載置台上に載置する際、ロック機構を操作して載置台が被保管物の載置により下降しない状態とすることができる。これにより、ラック台車は、被保管物を収納する際に被保管物の重さに拘らず被保管物を載置した状態で移動させることができる。この結果、ラック台車の使用者は、載置台に被保管物を載置して移動させる際に、被保管物の重さに係わらず被保管物を載置できるため、使い勝手が向上する。
【０００９】
また、請求項２に係る本考案の他の特徴は、前記ラック台車において、載置台は、被保管物が載置される載置面上における少なくとも三方が開放されていることにある。
【００１０】
このように構成した請求項２に係る本考案の他の特徴によれば、ラック台車は、被保管物が載置される載置台の上面上の少なくとも三方が開放されている。これにより、ラック台車の使用者は、載置台に対して少なくとも三方向から被保管物を載置することができるため荷役作業が行い易くなり、作業性が向上する。
【００１１】
また、請求項３に係る本考案の他の特徴は、前記ラック台車において、支柱は、上端部が載置台における載置面より上方に位置する長さで上方に延びて形成されているとともに、同支柱における上端部および下端部が他のラック台車における支柱の下端部および上端部に対して互いに嵌合可能に形成されていることにある。
【００１２】
このように構成した請求項３に係る本考案の他の特徴によれば、ラック台車を構成する支柱は、その上端部が載置台における載置面より上方に位置する長さで上方に延びて形成されているとともに、同支柱における上端部および下端部が他のラック台車における支柱の下端部および上端部に対して互いに嵌合可能に形成されている。これにより、使用者は、載置台に被保管物を載置した状態で複数のラック台車を積み上げて使用することができ、保管スペースを有効に利用することができる。
【００１３】
また、請求項４に係る本考案の他の特徴は、前記ラック台車において、前記３つのうちの少なくとも１つの支柱は、上端部が載置台における載置面以下に位置する下側支柱と、下側支柱の上端部に対して着脱自在に連結される上側支柱とで構成されることにある。
【００１４】
このように構成した請求項４に係る本考案の他の特徴によれば、支柱は、上端部が載置台における載置面以下に位置する下側支柱と、同下側支柱の上端部に対して着脱自在に連結される上側支柱とで構成されている。これにより、使用者は、上側支柱を下側支柱から分離することにより載置台上の周囲を開放した状態とすることができ、載置台への被保管物の載置および取り出し作業を行ない易くすることができる。また、載置台上に被保管物を載置した状態においては、上側支柱を下側支柱に連結することにより被保管物の載置台からのズレや落下を防止することができるとともに、ラック台車を積み重ねることができる。
【００１５】
また、請求項５に係る本考案の他の特徴は、前記ラック台車において、載置台は、下側支柱から分離した上側支柱を保持するための保持部を備えることにある。
【００１６】
このように構成した請求項５に係る本考案の他の特徴によれば、ラック台車は、載置台に、下側支柱から分離した上側支柱を保持するための保持部を備えている。これにより、使用者は、下側支柱から分離した上側支柱を保持部により載置台に保持させることができ、分離した上側支柱の紛失を防止できるとともに分離した上側支柱の保管スペースを別途確保する必要もない。また、載置部の保持部に保持した上側支柱は、上側支柱が必要なときに直ちに保持部から取り出して使用することができ、作業性も向上する。
【００１７】
また、請求項６に係る本考案の他の特徴は、前記ラック台車において、支柱は、前記３つのうちの少なくとも２つの支柱間に架設された架設棒体を備えることにある。
【００１８】
このように構成した請求項６に係る本考案の他の特徴によれば、ラック台車を構成する支柱は、３つのうちの少なくとも２つの支柱間に架設棒体が架設された状態で備えている。これにより、使用者は、２つの支柱間に架設された架設棒体をラック台車の手押しのための操作子として用いることができ、使い勝手を向上させることができる。また、２つの支柱間に架設された架設棒体は、載置台上に載置された被保管物のズレや落下を防止することができるとともに、架設棒体が設けられた支柱の強度や剛性を高めることができる。
【図面の簡単な説明】
【００１９】
【図１】本考案に係るラック台車の外観構成を概略的に示した前方斜視図である。
【図２】図１に示す本考案に係るラック台車の外観構成を概略的に示した後方斜視図である。
【図３】図１に示すラック台車の外観構成を概略的に示した一部破断側面図である。
【図４】図１に示すラック台車の外観構成を概略的に示した正面図である。
【図５】図１に示すラック台車の外観構成を概略的に示した平面図である。
【図６】図４に示すラック台車においてロック機構により載置台をロックした状態の外観構成を概略的に示した正面図である。
【図７】図３に示すラック台車において載置台が下降した状態の外観構成を概略的に示した一部破断側面図である。
【図８】図１に示すラック台車に他のラック台車を積み重ねた状態の外観構成を概略的に示した一部破断側面図である。
【考案を実施するための形態】
【００２０】
以下、本考案に係るラック台車の一実施形態について図面を参照しながら説明する。図１は、本考案に係るラック台車１００の外観構成を概略的に示した前方斜視図である。また、図２は、前記ラック台車１００の外観構成を概略的に示した後方斜視図である。また、図３は、前記ラック台車１００の外観構成を概略的に示した側面図である。また、図４は、前記ラック台車１００の外観構成を概略的に示した正面図である。また、図５は、前記ラック台車１００の外観構成を概略的に示した平面図である。
【００２１】
なお、本明細書において参照する各図は、本考案の理解を容易にするために一部の構成要素を誇張して表わすなど模式的に表している。このため、各構成要素間の寸法や比率などは異なっていることがある。本実施形態に係るラック台車１００は、倉庫や工場内において、部品や製品などの被保管物を運搬および／または一時的に保管するために用いられるラック兼用台車である。
【００２２】
（ラック台車１００の構成）
ラック台車１００は、載置台１０１を備えている。載置台１０１は、ラック台車１００が保管する被保管物ＷＫを載置するための荷台であり、鋼製角パイプ（鋼管）材を方形の枠状に組んで形成されている。本実施形態においては、１１００ｍｍ×１１００ｍｍのパレットが載置可能な大きさに形成されている。この載置台１０１を構成する方形枠の内側には、ラック台車１００の前側および後側に上側横断フレーム１０２がラック台車１００の横幅方向に沿って延びてそれぞれ設けられている。上側横断フレーム１０２は、図３に示すように、溝形鋼（断面コ字状に成形された所謂チャンネル）の内側部分が図示下方に向って開放するとともに、外側の図示上面が載置台１０１を構成する方形枠と面一になるように配置されている。なお、図３、図４および図６〜図８においては、被保管物ＷＫを二点鎖線（想像線）で示している。
【００２３】
２つの上側横断フレーム１０２の内側部分にはスプリング体１０３を介して下側フレーム１０４がそれぞれ嵌まり込んでいる。スプリング体１０３は、コイル状に形成されたバネ体であり、上側横断フレーム１０２の内側空間において上側横断フレーム１０２の長手方向に沿ってそれぞれ２つずつ配置されている。このスプリング体１０３は、本実施形態においては、１つのスプリング体１０３に約２５ｋｇの荷重が加わることにより完全に圧縮弾性変形するコイルスプリングで構成されている。したがって、この載置台１０１は、総重量が約１００ｋｇ以上の重さの被保管物ＷＫが載置されることにより、スプリング体１０３が完全に圧縮弾性変形して図示上下方向に沿った変位可能範囲における下限位置まで変位する。
【００２４】
下側横断フレーム１０４は、前記上側横断フレーム１０２と同様の溝形鋼で構成されている。この下側横断フレーム１０４は、外側の幅が上側横断フレーム１０２の内側の幅より短く形成されており、内側部分が図示上方に向って開放する向きで上側横断フレーム１０２の内側部分に図示上下方向に沿って摺動可能な状態で嵌り込んでいる。すなわち、下側横断フレーム１０４は、スプリング体１０３を介して上側横断フレーム１０２（すなわち、載置台１０１）を図示上下方向に変位可能な状態で支持している。この下側横断フレーム１０４は、上側横断フレーム１０２に対して図示上下方向に摺動自在な状態でボルト１０４ａによって取り付けられている。
【００２５】
２つの下側横断フレーム１０４における図示底面には、キャスター１０５が上側フレーム１０２の長手方向に沿ってそれぞれ２つずつ配置されている。キャスター１０５は、載置台１０１を床面ＧＬ上にて移動可能に支持する車輪である。すなわち、４つのキャスター１０５は、スプリング体１０３を介して載置台１０１を支持している。また、下側横断フレーム１０４の中央部には、ラック台車１００の前後方向に沿って縦断フレーム１０６が設けられている。縦断フレーム１０６は、ラック台車１００の前後方向に延びる２つの鋼製角パイプ（鋼管）材の両端部が鋼板製の受けプレート１０６ａでそれぞれ連結して構成されている。
【００２６】
縦断フレーム１０６の受けプレート１０６ａの上方に対向する載置台１０１の底面には、ロック機構１０７がそれぞれ設けられている。ロック機構１０７は、載置台１０１の下降を規制するためのリンク機構部品であり、ペダル１０７ａの操作により円形の押圧プレート１０７ｂが受けプレート１０６ａに向かう方向および遠ざかる方向（図示上下方向）にそれぞれ変位するように構成されている。
【００２７】
載置台１０１の外側の四隅のうちラック台車１００の前方側の２つの隅部には、側方に張り出した状態で前方支柱１０８が図示上下方向に沿って互いに平行に延びて設けられている。前方支柱１０８は、載置台１０１が下降した際に床面ＧＬに対して載置台１０１を支持するとともにラック台車１００を積み重ねるための鋼製丸パイプ（鋼管）材からなる円筒部材であり、互いに着脱自在に連結される下側前方支柱１０８ａと上側前方支柱１０８ｂとで構成されている。なお、図１〜図３および図７においては、上側前方支柱１０８ｂを二点鎖線（想像線）で示している。また、図４においては、上側前方支柱１０８ｂを後述する保持部１１１に保持した状態を示している。また、図５においては、上側前方支柱１０８ｂの図示を省略している。
【００２８】
これらのうち、下側前方支柱１０８ａは、載置台１０１が下降した際に床面ＧＬに対して載置台１０１を支持するとともにラック台車１００を他のラック台車１００上に載置するための円筒部材である。より具体的には、下側前方支柱１０８ａは、鋼製丸パイプ材の上端部が上側前方支柱１０８ｂの下端部が挿し込み可能な内径で開口するとともに、下端部が他のラック台車１００の上側前方支柱１０８ｂの上端部が挿し込み可能なカップ状に拡径して形成されている。また、下側前方支柱１０８ａは、上端部が載置台１０１の上面に対して面一に位置決めされた状態で下端部が床面ＧＬから浮く長さに形成されている。本実施形態においては、下側前方支柱１０８ａの下端部は、床面ＧＬから約２０ｍｍ浮いた状態で設けられている。
【００２９】
上側前方支柱１０８ｂは、主として、ラック台車１００上に他のラック台車１００を積み重ねるための円筒部材であり、下側前方支柱１０８ａの上端部の内径より小さい外径で形成されている。この上側前方支柱１０８ｂは、下側前方支柱１０８ａに挿し込んで連結した場合に、載置台１０１に載置される被保管物ＷＫの高さより高くなる長さに形成されている。
【００３０】
一方、載置台１０１の外側の四隅のうちラック台車１００の後方側の２つの隅部には、側方に張り出した状態で後方支柱１０９が図示上下方向に沿って互いに平行に延びて設けられている。後方支柱１０９は、前方支柱１０８とともに載置台１０１が下降した際に床面ＧＬに対して載置台１０１を支持するとともに、ラック台車１００を積み重ねるための鋼製丸パイプ（鋼管）材からなる円筒部材である。この支柱１０９は、下側前方支柱１０８ａと上側前方支柱１０８ｂとを連結した前方支柱１０８の長さと同じ長さに形成されており、前方支柱１０８と同様に、上端部が閉塞されているとともに下端部がカップ状に拡径して形成されている。
【００３１】
２つの後方支柱１０９の上部には、互いの後方支柱１０９間に架設された状態で架設棒体１１０が設けられている。架設棒体１１０は、主として、載置台１０１を手押しにて移動させるための棒部材であり鋼製丸パイプ（鋼管）材で構成されている。この架設棒体１１０は、ラック台車１００を積み重ねた際に上側に重ねられたラック台車１００の最下端部、具体的には、キャスター１０５の下端が位置する高さ位置に設けられている。
【００３２】
載置台１０１の四隅の下面には、丸鋼材が同各下面から図示下方に延びた後、前方支柱１０８および後方支柱１０９に向ってそれぞれ直角に屈曲して各前方支柱１０８および後方支柱１０９に接続して構成された保持部１１１が設けられている。保持部１１１は、ラック台車１００の前後方向に設けられた２つ保持部１１１で一対を構成し、同一対の保持部１１１に前記下側前方支柱１０８ａから分離させた上側前方支柱１０８ｂが通されることにより同上側前方支柱１０８ｂを保持する部分である。
【００３３】
（ラック台車１００の作動）
次に、このように構成されたラック台車１００の作動について説明する。まず、ラック台車１００の使用者は、被保管物ＷＫを載置する場所にラック台車１００を移動させる。具体的には、使用者は、前方支柱１０８を構成する上側前方支柱１０８ｂを下側前方支柱１０８ａから外して保持部１１１に収納した状態（図４参照）で、後方支柱１０９間に架設された架設棒体１１０を把持して手押し操作によりラック台車１００を移動させる。なお、この場合、載置台１０１上には被保管物ＷＫなどの荷物が載置されていないため、載置台１０１は下降せず前方支柱１０８および後方支柱１０９の各下端部は床面ＧＬから浮いた状態である。これにより、使用者は、容易かつ円滑にラック台車１００を移動させることができる。なお、ラック台車１００は、上側前方支柱１０８ｂを下側前方支柱１０８ａに連結した状態であっても移動可能であることは言うまでもない。
【００３４】
次に、使用者は、載置台１０１上に被保管物ＷＫを載置する。具体的には、使用者は、図６に示すように、ロック機構１０７のペダル１０７ａを操作することにより押圧プレート１０７ｂを下降させて受けプレート１０６ａに押し付ける。これにより、載置台１０１は、直接、縦断フレーム１０６を介してキャスター１０５によって支持される。すなわち、載置台１０１の下降が阻止された状態となる。次いで、使用者は、図示しないフォークリフト車などを用いて被保管物ＷＫを収めた収納箱(例えば、段ボール箱や通函)を直接、又は同収納箱をパレットを介して持ち上げて載置台１０１上に載置する。この場合、載置台１０１は、ロック機構１０７により下降不能なロック状態であるため、被保管物ＷＫの載置により下降することはない。すなわち、載置台１０１への被保管物ＷＫの載置によって前方支柱１０８および後方支柱１０９の下端部が床面ＧＬに設置することはない。
【００３５】
これにより、使用者は、載置台１０１に被保管物ＷＫを載置した場合であっても自由にラック台車１００を移動させることができる。したがって、使用者は、前記と同様に、後方支柱１０９間に架設された架設棒体１１０を把持して手押し操作によりラック台車１００を保管場所に移動させることができる。この場合、使用者は、保持部１１１に保持されている上側前方支柱１０８ｂを下側前方支柱１０８ａに連結してラック台車１００を移動させることができる。これによれば、ラック台車１００の移動中における被保管物ＷＫの位置ずれや落下、および損傷を防止することができる。
【００３６】
なお、本実施形態におけるラック台車１００は、ロック機構１０７による載置台１０１の下降を解除した状態で、約１００ｋｇまでの重さの被保管物ＷＫであれば載置台１０１が変位可能範囲における下限位置まで下降することがない。このため、使用者は、約１００ｋｇまでの重さの被保管物ＷＫであれば載置台１０１の下降をロックしない状態で被保管物ＷＫを載置して移動させることができる。また、本実施形態におけるラック台車１００は、ロック機構１０７により載置台１０１の下降をロックした状態で５００ｋｇまでの被保管物ＷＫを載置台１０１上に載置して移動させることができる。すなわち、本実施形態におけるロック機構１０７の耐荷重は、５００ｋｇである。したがって、５００ｋｇ以上の耐荷重のロック機構１０７を用いることにより５００ｋｇ以上の被保管物ＷＫを載置台１０１上に載置して移動させることもできる。また、本実施形態におけるラック台車１００は、ロック機構１０７により載置台１０１の下降のロックを解除した状態で１０００ｋｇまでの被保管物ＷＫを載置台１０１上に載置して保管することができる。
【００３７】
被保管物ＷＫの保管場所にラック台車１００を移動させた使用者は、ロック機構１０７のペダル１０７ａを操作することにより押圧プレート１０７ｂを上昇させて受けプレート１０６ａの押圧を解除する。これにより、載置台１０１は、縦断フレーム１０６を介したキャスター１０５による支持が解除されて、スプリング体１０３および縦断フレーム１０６を介してキャスター１０５によって支持される（図３参照）。このため、載置台１０１は、被保管物ＷＫの総重量が約１００ｋｇ以上である場合には、図７に示すように、スプリング体１０３の弾性力に抗しながら変位可能範囲における下限位置まで下降する。これにより、前方支柱１０８および後方支柱１０９の各下端部が床面ＧＬにそれぞれ同時に接地して、載置台１０１が、再度、直接、縦断フレーム１０６を介してキャスター１０５によって支持された状態となる。すなわち、ラック台車１００は、移動不能の状態となる。
【００３８】
なお、ラック台車１００は、前方支柱１０８および後方支柱１０９の各下端部が床面ＧＬにそれぞれ接地した移動不能な状態で被保管物ＷＫを保管することができるが、載置される被保管物ＷＫの重さによってはロック機構１０７による載置台１０１の下降をロックした状態で被保管物ＷＫを保管することもできる。また、使用者は、ラック台車１００を保管位置に配置して被保管物ＷＫを保管する場合、前方支柱１０８の上部を構成する上側支柱１０８ａを保持部１１１に保持させた状態で被保管物ＷＫを保管することができる。一方、使用者は、上側前方支柱１０８ｂを保持部１１１から取り出して下側前方支柱１０８ａに連結した状態で被保管物ＷＫを保管することもできる。これにより、ラック台車１００は、載置台１０１に載置した被保管物ＷＫの位置ずれや落下、および損傷を防止できる。
【００３９】
また、さらに、使用者は、図８に示すように、ラック台車１００の上方に他のラック台車１００を積み重ねて他の被保管物ＷＫを保管することもできる。具体的には、使用者は、下段に配置されるラック台車１００を保管位置に位置決めした後、保持部１１１に保持された２つの上側前方支柱１０８ｂをそれぞれ下側前方支柱１０８ａに挿し込んで連結する。これにより、前方支柱１０８は、後方支柱１０９と同じ高さに形成される。次いで、使用者は、上段に配置されるラック台車１００を下段に配置されるラック台車１００の近傍に配置して、フォークリフト車（図示せず）などを用いて、上段に配置されるラック台車１００を持ち上げて下段に配置されるラック台車１００上に積み上げる。この場合、使用者は、フォークリフト車のフォークを縦断フレーム１０６の下方に挿し込んで同縦断フレーム１０６を介してラック台車１００をリフトアップすることができる。
【００４０】
また、この場合、使用者は、上段に配置されるラック台車１００の前方支柱１０８および後方支柱１０９のカップ状の下端部を下段に配置されるラック台車１００の前方支柱１０８および後方支柱１０９の上端部上に配置する。これにより、２つのラック台車１００が上下に積み重なった状態で被保管物ＷＫを保管することができる。また、この場合、下段に配置されるラック台車１００に被保管物ＷＫを収納する場合においては、載置台１０１上に載置する被保管物ＷＫの上端部が後方支柱１０９に架設された架設棒体１１０より下方に位置することを確認する。
【００４１】
これにより、下段に配置されるラック台車１００に、上段に配置されるラック台車１００を積み重ねた際に上段に配置されるラック台車１００の下端部（キャスター１０５）が下段に配置されるラック台車１００に収納された被保管物ＷＫへの干渉を予め認識することができ、下段に配置されるラック台車１００に収納された被保管物ＷＫの損傷や上段に配置されるラック台車１００の積載ミスなどの荷役作業の事故を未然に防止することができる。
【００４２】
一方、使用者は、ラック台車１００内から被保管物ＷＫを取り出す際には、フォークリフト車などを用いて載置台１０１上に載置された被保管物ＷＫを取り出すことができる。この場合、使用者は、上側前方支柱１０８ｂを下側前方支柱１０８ａから分離することにより荷役作業を行い易くすることができる。そして、載置台１０１上から被保管物ＷＫが取り除かれると、載置台１０１は、スプリング体１０３の弾性力によって上昇する。これにより、載置台１０１とともに前方支柱１０８および後方支柱１０９がそれぞれ同時に上昇して床面ＧＬから離隔するため、ラック台車１００は再び移動可能な状態となる。
【００４３】
上記作動説明から理解できるように、上記実施形態によれば、ラック台車１００は、被保管物ＷＫを載置する載置台１０１に被保管物ＷＫの重さにより弾性変形するスプリング体１０３を介して載置台１０１を移動させるためのキャスター１０５を備えるとともに、同スプリング体１０３の弾性変形による載置台１０１の下降を阻止するロック機構１１１を備えて構成されている。このため、ラック台車１００を使用する使用者は、被保管物ＷＫを載置台１０１上に載置する際、ロック機構１１１を操作して載置台１０１が被保管物ＷＫの載置により下降しないロック状態とすることができる。これにより、ラック台車１００は、被保管物ＷＫを収納する際に被保管物ＷＫの重さに拘らず被保管物ＷＫを載置した状態で移動させることができる。この結果、ラック台車１００の使用者は、載置台１０１に被保管物を載置して移動させる際に、被保管物の重さに係わらず被保管物ＷＫを載置できるため、使い勝手が向上する。
【００４４】
さらに、本考案の実施にあたっては、上記実施形態に限定されるものではなく、本考案の目的を逸脱しない限りにおいて種々の変更が可能である。
【００４５】
例えば、上記実施形態においては、スプリング体１０３をコイルバネで構成した。しかし、スプリング体１０３は、載置台１０１に載置される被保管物ＷＫの重量によって弾性変形する弾性体であれば、上記実施形態に限定されるものではない。例えば、スプリング体１０３を板バネで構成することもできる。また、スプリング体１０３の配置位置や配置数についても、前方支柱１０８および後方支柱１０９を床面ＧＬに接地する方向および離隔する方向に変位させることができれば、上記実施形態に限定されるものではない。また、スプリング体１０３の弾性係数についても、ラック台車１００の仕様、例えば、載置台１０１に載置する被保管物ＷＫの重量などに応じて適宜決定すればよい。
【００４６】
また、上記実施形態においては、キャスター１０５を車輪で構成した。しかし、キャスター１０５は、載置台１０１を床面ＧＬに対して移動させることができるものであれば、上記実施形態に限定されるものではない。例えば、キャスター１０５を、球体や無限軌道で構成することもできる。
【００４７】
また、上記実施形態においては、前方支柱１０８を互いに着脱自在に連結可能な下側前方支柱１０８ａと上側前方支柱１０８ｂとで構成した。しかし、前方支柱１０８は、後方支柱１０９と同様に、一本の丸鋼材で構成することもできる。また、前方支柱１０８および後方支柱１０９は、載置台１０１に対して少なくとも３つ配置され、スプリング体１０３の弾性変形による載置台１０１の下降により床面ＧＬに接地して載置台１０１を支持する構成であれば良い。すなわち、前方支柱１０８および後方支柱１０９は、本考案に係る支柱に相当する。したがって、前方支柱１０８および後方支柱１０９を総数として３本で構成しても良いし、総数として５本以上で構成してもよい。また、前方支柱１０８および後方支柱１０９を下側前方支柱１０８ａと上側前方支柱１０８ｂのように分離可能に構成する場合、分割数や、分離可能に構成する支柱の数もラック台車１００の仕様に応じて適宜決定すれば良い。また、前方支柱１０８および後方支柱１０９の長さも、必ずしも、載置台１０１の載置面である上面より上方に延びる長さに形成する必要はなく、下側前方支柱１０８ａと同じように、上端部が載置台１０１の載置面である上面と面一になる長さで構成しても良い。
【００４８】
また、上記実施形態においては、前方支柱１０８を下側前方支柱１０８ａに対して上側前方支柱１０８ｂを分離可能に構成することにより、載置台１０１上の三方を開放した状態とした。これは、載置台１０１上への被保管物ＷＫの積み降ろし作業を容易にするためである。したがって、載置台１０１上への被保管物ＷＫの積み降ろし作業が確保可能であれば、載置台１０１上の側方および／または前後方向がフェンス状や板状の壁部（例えば、籠状）で閉塞されて構成されていても良い。
【００４９】
また、上記実施形態においては、ラック台車１００は、複数のラック台車１００同士を互いに積み重ねられるように、前方支柱１０８および後方支柱１０９に対して他のラック台車１００の前方支柱１０８および後方支柱１０９が嵌合可能に構成した。しかし、ラック台車１００は、複数のラック台車１００同士を互いに積み重ねる必要がない場合には、必ずしも、前方支柱１０８および後方支柱１０９に対して他のラック台車１００の前方支柱１０８および後方支柱１０９を嵌合可能に形成する必要はない。また、複数のラック台車１００同士を積み重ねられる構成も上記実施形態に限定されるものでもなく、他の構成であってもよいことは当然である。
【００５０】
また、上記実施形態においては、前方支柱１０８における下側前方支柱１０８ａから分離した上側前方支柱１０８ｂを保持するために載置台１０１の底部に保持部１１１を設けた。しかし、保持部１１１は、上側前方支柱１０８ｂを保持する必要がない場合、例えば、前方支柱１０８が分離不能な一体物で構成されている場合や他に上側前方支柱１０８ｂを保管するスペースが用意されている場合などには不要であり省略することができる。
【００５１】
また、上記実施形態においては、２本の後方支柱１０９間に架設棒体１１１を架設して設けた。しかし、架設棒体１１１は、ラック台車１００の手押し操作の利便性向上や載置台１０１上に載置する被保管物ＷＫの安定性および安全性確保のために設けられたものであり、必ずしも必要なものでない。すなわち、架設棒体１１１は、ラック台車１００の仕様に応じた数、配置および形状で必要に応じて設けられれば良い。例えば、架設棒体１１１は、２本の後方支柱１０９間の他に、後方支柱１０９と前方支柱１０８との間や２本の前方支柱１０８間の間に１本、または２本以上設けることができる。
【符号の説明】
【００５２】
ＷＫ…被保管物、ＧＬ…床面
１００…ラック台車、１０１…載置台、１０２…上側横断フレーム、１０３…スプリング体、１０４…下側横断フレーム、１０４ａ…ボルト、１０５…キャスター、１０６…縦断フレーム、１０６ａ…受けプレート、１０７…ロック機構、１０７ａ…ペダル、１０７ｂ…押圧プレート、１０８…前方支柱、１０８ａ…下側前方支柱、１０８ｂ…上側前方支柱、１０９…後方支柱、１１０…架設棒体、１１１…保持部。
【図１】
0003164261.tif 000003
【図２】
0003164261.tif 000004
【図３】
0003164261.tif 000005
【図４】
0003164261.tif 000006
【図５】
0003164261.tif 000007
【図６】
0003164261.tif 000008
【図７】
0003164261.tif 000009
【図８】
0003164261.tif 000010